(57)【特許請求の範囲】
【請求項１】
モバイル通信ネットワーク内で測定値を記憶する無線デバイスのための方法であって、前記方法は、
前記無線デバイスが、前記無線デバイスによって記憶される周期的ダウンリンクパイロット測定値のための構成情報を処理することであって、前記構成情報は、周期的ダウンリンクパイロット測定値が記憶されて報告されることが許可される、近隣セルの数に関する上限を含み、前記上限は、前記周期的ダウンリンクパイロット測定値が報告されることが許可される、前記無線デバイスのサービングセルの絶対優先層より高い優先度を有する全ての絶対優先層の中での近隣セルの第１の数に関する第１の上限であり、
前記構成情報は、
前記周期的ダウンリンクパイロット測定値が報告されることが許可される、前記無線デバイスのサービングセルの前記絶対優先層より低い優先度を有する全ての絶対優先層の中での近隣セルの第２の数に関する第２の上限と、
前記周期的ダウンリンクパイロット測定値が報告されることが許可される、前記無線デバイスのサービングセルの前記絶対優先層と等しい優先度を有する全ての絶対優先層の中での近隣セルの第３の数に関する第３の上限と
にさらに関連付けられている、ことと、
前記無線デバイスが、前記構成情報に従って、前記周期的ダウンリンクパイロット測定値を記憶することと
を含む、方法。
【請求項２】
前記構成情報は、絶対優先層構成情報をさらに含む、請求項１に記載の方法。
【請求項３】
前記構成情報は、規定された近隣セルに関連付けられた周期的ダウンリンクパイロット測定値を調節するためのオフセットをさらに含む、請求項１に記載の方法。
【請求項４】
前記構成情報は、公衆移動通信網（ＰＬＭＮ）走査の間、周期的ダウンリンクパイロット測定が行われるとき、受信信号強度表示（ＲＳＳＩ）が測定されるべきかどうかを示す表示をさらに含み、前記方法は、前記表示がＲＳＳＩが測定されるべきことを示す場合、前記無線デバイスが、検出されたＰＬＭＮに対して、ＲＳＳＩ測定値、周波数、ＰＬＭＮ識別、または、セル識別のリストのうちの少なくとも１つのログを記録することをさらに含む、請求項１に記載の方法。
【請求項５】
前記構成情報に従って、前記周期的ダウンリンクパイロット測定値を記憶することは、前記構成情報内に含まれる前記近隣セルの数に関する前記上限に従って、周期的ダウンリンクパイロット測定値のログを記録することを含む、請求項１に記載の方法。
【請求項６】
プログラムが記録されたコンピュータ読み取り可能な記憶媒体であって、
前記プログラムは、実行されると、
モバイル通信ネットワーク内の無線デバイスによって記憶される周期的ダウンリンクパイロット測定値のための構成情報を処理することであって、前記構成情報は、周期的ダウンリンクパイロット測定値が記憶されて報告されることが許可される、近隣セルの数に関する上限を含み、前記上限は、前記周期的ダウンリンクパイロット測定値が報告されることが許可される、前記無線デバイスのサービングセルの絶対優先層より高い優先度を有する全ての絶対優先層での近隣セルの第１の数に関する第１の上限であり、
前記構成情報は、
前記周期的ダウンリンクパイロット測定値が報告されることが許可される、前記無線デバイスのサービングセルの前記絶対優先層より低い優先度を有する全ての絶対優先層の中での近隣セルの第２の数に関する第２の上限と、
前記周期的ダウンリンクパイロット測定値が報告されることが許可される、前記無線デバイスのサービングセルの前記絶対優先層と等しい優先度を有する全ての絶対優先層の中での近隣セルの第３の数に関する第３の上限と
にさらに関連付けられている、ことと、
前記構成情報に従って、前記周期的ダウンリンクパイロット測定値を記億することと
をモバイル通信ネットワーク内の無線デバイスに行わせる、コンピュータ読み取り可能な記憶媒体。
【請求項７】
前記構成情報は、規定された近隣セルに関連付けられた周期的ダウンリンクパイロット測定値を調節するためのオフセットをさらに含む、請求項６に記載のコンピュータ読み取り可能な記憶媒体。
【請求項８】
モバイル通信ネットワーク内で測定値を記憶する装置であって、前記装置は、
前記モバイル通信ネットワーク内の移動局において、前記移動局よって記憶される周期的ダウンリンクパイロット測定値のための構成情報を処理することであって、前記構成情報は、周期的ダウンリンクパイロット測定値が記憶されて報告されることが許可される、近隣セルの数に関する上限を含む、ことと、
前記移動局において、前記構成情報に従って、前記周期的ダウンリンクパイロット測定値を記憶することと
を行うプロセッサであって、前記上限は、前記周期的ダウンリンクパイロット測定値が報告されることが許可される、サービングセルの絶対優先層より高い優先度を有する全ての絶対優先層の中での近隣セルの第１の数に関する第１の上限であり、
前記構成情報は、
前記周期的ダウンリンクパイロット測定値が報告されることが許可される、前記サービングセルの前記絶対優先層より低い優先度を有する全ての絶対優先層の中での近隣セルの第２の数に関する第２の上限と、
前記周期的ダウンリンクパイロット測定値が報告されることが許可される、前記サービングセルの前記絶対優先層と等しい優先度を有する全てのすべての絶対優先層の中での近隣セルの第３の数に関する第３の上限と
にさらに関連付けられる、プロセッサと、
前記周期的ダウンリンクパイロット測定値を記憶するメモリと
を含む、装置。
【請求項９】
前記構成情報は、絶対優先層構成情報をさらに含み、前記メモリは、前記絶対優先層構成情報を記憶する、請求項８に記載の装置。
【請求項１０】
前記構成情報は、規定された近隣セルに関連付けられた周期的ダウンリンクパイロット測定値を調節するためのオフセットをさらに含む、請求項８に記載の装置。
【請求項１１】
前記構成情報は、公衆移動通信網（ＰＬＭＮ）走査の間、周期的ダウンリンクパイロット測定が行われるとき、受信信号強度表示（ＲＳＳＩ）が測定されるべきかどうかを示す表示をさらに含み、前記プロセッサは、前記表示がＲＳＳＩが測定されるべきことを示す場合、検出されたＰＬＭＮに対して、ＲＳＳＩ測定値、周波数、ＰＬＭＮ識別、または、セル識別のリストのうちの少なくとも１つのログを記録する、請求項８に記載の装置。
【発明の詳細な説明】
【技術分野】
【０００１】
本開示は、概して、測定報告に関し、より具体的には、近隣セル測定の報告を限定する方法および装置に関する。
【背景技術】
【０００２】
現在、モバイル通信ネットワークオペレータは、多くの場合、継続的または少なくとも頻繁に、ネットワーク性能測定基準を収集するために、ドライブテストを行う。第３世代パートナーシッププロジェクト（３ＧＰＰ）は、専用ドライブテストを要求する代わりに、ネットワーク内で動作する市販のユーザ機器（ＵＥ）から、少なくともいくつかのドライブテスト測定を収集することができる、ドライブテストの最小化（ＭＤＴ）フレームワークの規定を開始している。ＭＤＴフレームワークの使用を通して、徹底したドライブテストの必要性およびその回数が、低減され得、これは、オペレータにとって、有意に、ネットワーク保守コストを削減し、また、炭素放出を減少させ、それによって、環境保護に役立ち得る。加えて、別個のドライブテストへの依存を低減させることによって、より高速な最適化サイクルが、達成され、それによって、より高い顧客満足をもたらし得る。さらに、ＭＤＴフレームワークは、オペレータに、典型的には、ドライブテストの間にアクセスされないエリア（例えば、狭い道路、森林、私有地、住宅、およびオフィス等）から測定を収集することを可能にし得る。
【発明の概要】
【課題を解決するための手段】
【０００３】
近隣セル測定の報告を限定する方法および装置が、本明細書に開示される。本明細書に開示される例示的方法は、ＵＥが、ＵＥによって行われる周期的ダウンリンクパイロット測定を構成するために、モバイル通信ネットワーク内において、構成情報をネットワーク要素から受信するステップを伴う。周期的ダウンリンクパイロット測定は、アイドルモードの間、ＵＥによって行われ、有効範囲監視を可能にすることができる、ログ記録ＭＤＴ測定の一実施例である。ネットワーク要素からＵＥによって受信される構成情報は、周期的ダウンリンクパイロット測定が報告されることが許可される、近隣セルの数に関する上限を含む。例示的方法はまた、ＵＥが、構成情報に従って、モバイル通信ネットワークにおいて、周期的ダウンリンクパイロット測定を行うステップを伴う。
【０００４】
いくつかの実施例では、構成情報内に含まれる上限は、周期的ダウンリンクパイロット測定が報告されることが許可される、近隣セルの総数に対応することができる。いくつかの実施例では、構成情報内に含まれる上限は、周期的ダウンリンクパイロット測定が報告されることが許可される、規定された絶対優先層内の近隣セルの最大数に対応することができる。いくつかの実施例では、構成情報内に含まれる上限は、周期的ダウンリンクパイロット測定が報告されることが許可される、ＵＥのサービングセルの絶対優先層より高い優先度を有する、全絶対優先層の中にある、近隣セルの第１の数に関する第１の上限である。加えて、または代替として、構成情報は、周期的ダウンリンクパイロット測定が報告されることが許可される、ＵＥのサービングセルの絶対優先層より低い優先度を有する、全絶対優先層の中にある、近隣セルの第２の数に関する第２の上限を含むことができる。加えて、または代替として、構成情報は、周期的ダウンリンクパイロット測定が報告されることが許可される、ＵＥのサービングセルの絶対優先層と等しい優先度を有する、全絶対優先層の中にある、近隣セルの第３の数に関する第３の上限を含むことができる。近隣セルが属する、異なる周波数および／またはＲＡＴの絶対優先度は、受信した構成情報内に規定される、またはセル再選択を構成するために、ネットワークによってＵＥに信号伝達される他の情報等、別個に取得されることができる。
【０００５】
本明細書に説明される例示的方法および装置の少なくともいくつかは、ＭＤＴフレームワーク内に含有するために提案された以前のログ記録ＭＤＴ測定技法に勝る、実質的利点を提供することができる。ＭＤＴフレームワークは、即時ＭＤＴ測定およびログ記録ＭＤＴ測定をサポートする。正常ＵＥ動作の間に行われる測定報告と同様に、即時ＭＤＴ測定は、接続モードの間、ネットワークによってトリガされ、ＵＥに、要求されるＭＤＴ測定によって返信させる。対照的に、ログ記録ＭＤＴ測定は、ＵＥが、ＭＤＴ測定報告をネットワークに伝送するために、無線リソースへのアクセスを有していないアイドルモードの間、ＵＥによって行われるＭＤＴ測定に対応する。ログ記録ＭＤＴ測定の場合、ＵＥによって行われるＭＤＴ測定は、接続モードの間、ネットワークによって構成される。ＵＥは、後に、アイドルモードの間、構成されるＭＤＴ測定（例えば、構成される起動基準に基づいて）を行い、ＵＥが、後に、接続モードに入り、無線リソースのアクセスを有し、ログ記録ＭＤＴ測定をネットワークに報告することができるまで、ＭＤＴ測定を記憶する。
【０００６】
ログ記録ＭＤＴ測定のための以前提案された技法と異なり、本明細書に開示される例示的方法および装置の少なくともいくつかのは、周期的ダウンリンクパイロット測定等のＭＤＴ測定のログが記録され、報告される、近隣セルの数に関する１つ以上の限界の構成を可能にする。そのような限界は、ＵＥ内に記憶される測定ログファイルのサイズを縮小し、それによって、ＵＥメモリ消費を削減し、また、測定ログファイルをネットワークに報告するためにＵＥによって必要とされる無線リソースの消費も削減することができる。本明細書に開示される例示的方法および装置の少なくともいくつかはまた、規定された絶対優先層と関連付けられた近隣セルに対して、近隣セル報告限界の構成を可能にする。絶対優先層は、３ＧＰＰ規格のリリース８において導入されたものであって、ネットワークによって使用され、セル再選択のための周波数および無線アクセス技術（ＲＡＴ）優先度を規定する。絶対優先層をサポートするネットワークでは、各周波数あるいは周波数群および／または各ＲＡＴは、絶対優先度が規定される、層であることができる。ログ記録ＭＤＴ測定のために以前提案された技法と異なり、本明細書に開示される例示的方法および装置の少なくともいくつかは、特定の規定された絶対優先度（例えば、近隣セルの周波数および／またはＲＡＴに基づいて）を有する、および／またはＵＥのサービングセルの絶対優先度と比較して（例えば、それを上回る、それ未満である、またはそれに等しい）、規定された範囲内の絶対優先度を有する、近隣セルに対して、近隣セル報告限界の構成を可能にする。本明細書に開示される例示的方法および装置の少なくともいくつかはまた、ＭＤＴ測定のログが記録され、報告される、近隣セルの数に関する１つ以上の構成される限界によって制約される時、規定された近隣セルのＭＤＴ測定を調節し、ＭＤＴ測定ログ内へのその含有にバイアスをかけるように、オフセットを構成可能にする。
本発明は、例えば、以下を提供する。
（項目１）
モバイル通信ネットワーク内で測定を行う無線デバイスのための方法であって、
前記方法は、
前記無線デバイスによって行われる周期的ダウンリンクパイロット測定のための構成情報を受信することであって、前記構成情報は、周期的ダウンリンクパイロット測定が報告されることが許可される、近隣セルの数に関する上限を含む、ことと、
前記構成情報に従って、前記周期的ダウンリンクパイロット測定を行うことと
を含む、方法。
（項目２）
前記上限は、周期的ダウンリンクパイロット測定が報告されることが許可される、近隣セルの総数に対応する、項目１に記載の方法。
（項目３）
前記上限は、周期的ダウンリンクパイロット測定が報告されることが許可される、規定された絶対優先層内の近隣セルの最大数に対応する、項目１に記載の方法。
（項目４）
限界は、周期的ダウンリンクパイロット測定が報告されることが許可される、前記無線デバイスのサービングセルの絶対優先層より高い優先度を有する、全絶対優先層の中にある、近隣セルの第１の数に関する第１の上限であり、
前記構成情報はさらに、
周期的ダウンリンクパイロット測定が報告されることが許可される、前記無線デバイスのサービングセルの前記絶対優先層より低い優先度を有する、全絶対優先層の中にある、近隣セルの第２の数に関する第２の上限と、
周期的ダウンリンクパイロット測定が報告されることが許可される、前記無線デバイスのサービングセルの前記絶対優先層と等しい優先度を有する、全絶対優先層の中にある、近隣セルの第３の数に関する第３の上限と
を含む、項目１に記載の方法。
（項目５）
前記構成情報はさらに、絶対優先層構成情報を含む、項目１に記載の方法。
（項目６）
前記構成情報はさらに、規定された近隣セルと関連付けられた周期的ダウンリンクパイロット測定を調節するためのオフセットを含む、項目１に記載の方法。
（項目７）
前記構成情報はさらに、公衆移動通信網（ＰＬＭＮ）走査の間、周期的ダウンリンクパイロット測定が行われるとき、受信信号強度表示（ＲＳＳＩ）が測定されるべきかどうかを示す、表示を含み、前記方法はさらに、前記表示が、ＲＳＳＩが測定されるべきことを示す場合、検出されたＰＬＭＮに対して、ＲＳＳＩ測定、周波数、ＰＬＭＮ識別、またはセル識別のリストのうちの少なくとも１つのログを記録することを含む、項目１に記載の方法。
（項目８）
前記構成情報に従って、前記周期的ダウンリンクパイロット測定を行うことは、前記構成情報内に含まれる前記近隣セルの数に関する上限に従って、周期的ダウンリンクパイロット測定のログを記録することを含む、項目１に記載の方法。
（項目９）
機械可読命令を記憶する有形製造品であって、
前記機械可読命令は、実行されると、機械に、
モバイル通信ネットワーク内において、無線デバイスによって行われる周期的ダウンリンクパイロット測定のための構成情報を受信することであって、前記構成情報は、周期的ダウンリンクパイロット測定が報告されることが許可される、近隣セルの数に関する上限を含む、ことと、
前記構成情報に従って、前記周期的ダウンリンクパイロット測定を行うことと
を行わせる、有形製造品。
（項目１０）
前記上限は、周期的ダウンリンクパイロット測定が報告されることが許可される、近隣セルの総数に対応する、項目９に記載の有形製造品。
（項目１１）
前記上限は、周期的ダウンリンクパイロット測定が報告されることが許可される、規定された絶対優先層内の近隣セルの最大数に対応する、項目９に記載の有形製造品。
（項目１２）
限界は、周期的ダウンリンクパイロット測定が報告されることが許可される、前記無線デバイスのサービングセルの絶対優先層より高い優先度を有する、全絶対優先層の中にある、近隣セルの第１の数に関する第１の上限であり、前記構成情報はさらに、
周期的ダウンリンクパイロット測定が報告されることが許可される、前記無線デバイスのサービングセルの前記絶対優先層より低い優先度を有する、全絶対優先層の中にある、近隣セルの第２の数に関する第２の上限と、
周期的ダウンリンクパイロット測定が報告されることが許可される、前記無線デバイスのサービングセルの前記絶対優先層と等しい優先度を有する、全絶対優先層の中にある、近隣セルの第３の数に関する第３の上限と
を含む、項目９に記載の有形製造品。
（項目１３）
前記構成情報はさらに、規定された近隣セルと関連付けられた周期的ダウンリンクパイロット測定を調節するためのオフセットを含む、項目９に記載の有形製造品。
（項目１４）
モバイル通信ネットワーク内で測定を行う装置であって、前記装置は、
モバイル通信ネットワーク内で行われる周期的ダウンリンクパイロット測定のための構成情報を受信することであって、前記構成情報は、周期的ダウンリンクパイロット測定が報告されることが許可される、近隣セルの数に関する上限を含む、ことと、
前記構成情報に従って、前記周期的ダウンリンクパイロット測定を行うことと
を行うプロセッサと、
前記周期的ダウンリンクパイロット測定を記憶するメモリと
を含む、装置。
（項目１５）
前記上限は、周期的ダウンリンクパイロット測定が報告されることが許可される、近隣セルの総数に対応する、項目１４に記載の装置。
（項目１６）
前記上限は、周期的ダウンリンクパイロット測定が報告されることが許可される、規定された絶対優先層内の近隣セルの最大数に対応する、項目１４に記載の装置。
（項目１７）
限界は、周期的ダウンリンクパイロット測定が報告されることが許可される、サービングセルの絶対優先層より高い優先度を有する全絶対優先層の中にある、近隣セルの第１の数に関する第１の上限であって、前記構成情報はさらに、
周期的ダウンリンクパイロット測定が報告されることが許可される、前記サービングセルの前記絶対優先層より低い優先度を有する、全絶対優先層の中にある、近隣セルの第２の数に関する第２の上限と、
周期的ダウンリンクパイロット測定が報告されることが許可される、前記サービングセルの前記絶対優先層と等しい優先度を有する、全絶対優先層の中にある、近隣セルの第３の数に関する第３の上限と
を含む、項目１４に記載の装置。
（項目１８）
前記構成情報はさらに、絶対優先層構成情報を含み、前記メモリは、前記絶対優先層構成情報を記憶する、項目１４に記載の装置。
（項目１９）
前記構成情報はさらに、規定された近隣セルと関連付けられた周期的ダウンリンクパイロット測定を調節するためのオフセットを含む、項目１４に記載の装置。
（項目２０）
前記構成情報はさらに、公衆移動通信網（ＰＬＭＮ）走査の間、周期的ダウンリンクパイロット測定が行われるとき、受信信号強度表示（ＲＳＳＩ）が測定されるべきかどうかを示す、表示を含み、前記プロセッサは、前記表示が、ＲＳＳＩが測定されるべきことを示す場合、検出されたＰＬＭＮに対して、ＲＳＳＩ測定、周波数、ＰＬＭＮ識別、またはセル識別のリストのうちの少なくとも１つのログを記録する、項目１４に記載の装置。
【図面の簡単な説明】
【０００７】
【図１】図１は、本明細書に説明される方法および装置をサポートし、ＭＤＴ近隣セル測定の報告を限定することが可能である、例示的３ＧＰＰ通信システムのブロック図である。
【図２】図２は、本明細書に説明される方法および装置による、図１の３ＧＰＰ通信システムにおいて、ＭＤＴ近隣セル測定の報告を限定することが可能である、例示的ＵＥのブロック図である。
【図３】図３は、本明細書に説明される方法および装置による、図１の３ＧＰＰ通信システムにおいて、ＭＤＴ近隣セル測定に対する報告限界を有効にすることが可能である、例示的ネットワーク要素のブロック図である。
【図４】図４は、ＭＤＴ近隣セル測定の報告を限定するように、図２のＵＥを構成するために行われ得る、例示的プロセスを表す、流れ図である。
【図５】図５は、図２のＵＥにおいて、ＭＤＴ近隣セル測定報告の限界を実装するために行われ得る、例示的プロセスを表す、流れ図である。
【図６】図６は、図３のネットワーク要素における、ＭＤＴ測定構成および処理を実装するために行われ得る、例示的プロセスを表す、流れ図である。
【図７】図７は、図４-６のプロセスの一部または全部を実装し、図２のＵＥ、図３のネットワーク要素、および／または図１の３ＧＰＰ通信システムを実装するために使用される、例示的機械可読命令を実行し得る、例示的処理システムのブロック図である。
【発明を実施するための形態】
【０００８】
図を参照すると、本明細書に説明されるＭＤＴ測定技法をサポートすることが可能である、例示的次世代３ＧＰＰ通信システム１００のブロック図が、図１に例証される。通信システム１００は、汎用地上無線アクセスネットワーク（ＵＴＲＡＮ）実装におけるノード-Ｂ、進化型ＵＴＲＡＮ（Ｅ-ＵＴＲＡＮ）ロング・ターム・エボリューション（ＬＴＥ）実装における進化型ノード-Ｂ（ｅＮＢ）等、基地局機能性を提供するネットワーク要素によって実装される、例示的現在の（または、ホームまたはサービング）セル１１０によってサービス提供される、例示的ＵＥ１０５を含む。加えて、通信システム１００は、現在のセル１１０の近隣セルである、例示的セル１１５、１２０、および１２５を含む。例証される実施例では、近隣セル１１５、１２０、および１２５は、現在のセル１１０を実装するネットワーク要素と異なる、１つ以上のネットワーク要素によって実装される。以下に詳述されるように、現在のセル１１０を実装する移動局１０５およびネットワーク要素は、本明細書に開示される例示的方法および装置に従って、近隣セルＭＤＴ測定の報告を限定する。
【０００９】
通信システム１００では、ＵＥ１０５は、携帯電話デバイス、固定電話デバイス、携帯情報端末（ＰＤＡ）、スマートフォン（例えば、Ｂｌａｃｋ  Ｂｅｒｒｙ（Ｒ）スマートフォン等）等、任意のタイプの無線デバイス、移動局、ユーザエンドポイント機器、ユーザエージェント等に対応してもよい。セル１１０-１２５はそれぞれ、ＧＥＲＡＮセル、ＵＴＲＡＮセル、Ｅ-ＵＴＲＡＮセル、ＣＤＭＡＨＲＰＤセル、ＣＤＭＡ１ｘＲＴＴセル等、任意のタイプのセルに対応してもよい（ＧＥＲＡＮは、ＧＳＭ（登録商標）／ＥＤＧＥ無線アクセスネットワークを指し、ＧＳＭ（登録商標）は、モバイル通信用グローバルシステムを指し、ＥＤＧＥは、ＧＳＭ（登録商標）進化型高速データレートを指し、ＣＤＭＡは、符号分割多重アクセスを指し、ＨＲＰＤは、高速パケットデータを指し、１ｘＲＴＴは、ＣＤＭＡ仕様に定義されるような１ｘ無線伝送技術を指す）。さらに、セル１１０-１２５の一部または全部は、同一または異なるタイプのセルであってもよい。例えば、図１では、近隣セル１１５は、ＧＥＲＡＮセルであって、近隣セル１２０は、ＵＴＲＡＮセルであって、近隣セル１２５は、Ｅ-ＵＴＲＡＮセルである。また、セル１１０-１２５はそれぞれ、基地局機能性を提供する、別個のネットワーク要素によって実装されるように描写されるが、セル１１５-１２５の一部または全部は、共通ネットワーク要素によって実装されてもよい。さらに、１つのみのＵＥ１０５および４つのセル１１０-１２５が、図１では例証されるが、３ＧＰＰ通信システム１００は、任意の数のＵＥ１０５およびセル１１０-１２５をサポートすることができる。
【００１０】
図１の例証される実施例では、ＵＥ１０５は、現在のセル１１０を実装する、ネットワーク要素によって構成されるように、１つ以上のＭＤＴ測定を行う。そのようなＭＤＴ測定の実施例として、周期的ダウンリンクパイロット測定、閾値を下回るサービングセルの測定、閾値未満の伝送電力ヘッドルームの測定、ランダムアクセス失敗測定、および無線リンク失敗報告が挙げられるが、それらに限界されず、これらは、３ＧＰＰ技術報告書（ＴＲ）３６．８０５、Ｖ２．０．０（２００９年１２月）に説明され、参照することによって、全体として本明細書に組み込まれる。概略すると、周期的ダウンリンクパイロット測定の場合、共通パイロットチャネル（ＣＰＩＣＨ）受信信号コード電力（ＲＳＣＰ）、ＣＰＩＣＨＥｃ／Ｎｏ、時分割二重（ＴＤＤ）一次共通制御物理チャネル（Ｐ-ＣＣＰＣＨ）ＲＳＣＰおよび干渉信号コード電力（ＩＳＣＰ）、基準信号受信電力（ＲＳＲＰ）、および基準信号受信品質（ＲＳＲＱ）（例えば、接続モードのみにおいて）等の無線環境測定のログが、接続モード、アイドルモード、または両方において、周期的に記録される。周期的ダウンリンクパイロット測定のための構成情報は、規定された測定周期を含み、周期的ダウンリンクパイロット測定報告は、無線環境測定、ならびに測定が行われた時および位置を規定する時間および位置情報と、特定の報告される測定と関連付けられたセルを識別するセル識別情報を含む。閾値を下回るサービングセルの測定の場合、前述のもの等の無線環境測定、ならびに測定されたサービングセル測定基準が、構成される閾値を下回る時の位置およびセル識別情報のログが、記録される。測定ログ記録ウィンドウ（例えば、「スライディングウィンドウ」等であって、収集されたログは、ＵＥ内に維持される）を使用して、イベント発生前および後のある周期の間、情報を収集する。閾値未満の伝送電力ヘッドルームの測定の場合、伝送電力ヘッドルームおよび前述のもの等の無線環境測定、ならびにＵＥ伝送電力ヘッドルームが、構成される閾値未満となる時の位置およびセル識別情報のログが、記録される。ランダムアクセス失敗測定の場合、ランダムアクセスに関する詳細および前述のもの等の無線環境測定、ならびにランダムアクセス失敗が発生する時の位置およびセル識別情報のログが、記録される。無線リンク失敗報告の場合、前述のもの等の無線環境測定、ならびに無線リンク失敗（ＲＬＦ）が発生する時の位置およびセル識別情報が、報告される。
【００１１】
例示的実装では、ＵＥ１０５は、現在のセル１１０（また、サービングセル１１０とも称される）および近隣セル１１５、１２０、および１２５のうちの１つ以上の周期的ダウンリンクパイロット（ＰＤＰ）測定を行い、セル再選択のためのアクティブ優先層を実装する通信システム１００によって使用される、１つ以上のパラメータの構成、検証、最適化等を可能にするように構成される。３ＧＰＰ仕様のリリース８では、絶対優先度は、ネットワークに、セル再選択のための周波数および無線アクセス技術（ＲＡＴ）優先度を規定可能にするために導入された。例えば、３ＧＰＰリリース８に準拠する、通信システム１００等のネットワークは、概して、セル（例えば、セル１１０）全体を通して、システム情報ブロードキャストにおいて、および／または具体的ＵＥ（例えば、ＵＥ１０５）に送信される、専用メッセージにおいて、１つ以上の周波数間層および／または１つ以上のＲＡＴ間層の優先度を規定することができる。各そのような周波数または周波数群および各そのようなＲＡＴは、絶対優先度が規定される、「層」と見なされる。ネットワークが、専用メッセージにおいて、規定された層に対する優先度を規定する時、優先度は、受信ＵＥに特異的であってもよい一方、システム情報において規定された優先度は、概して、ブロードキャストセルによってサービス提供される全ＵＥに該当する。
【００１２】
セル再選択のための絶対優先度をサポートする、通信システム１００の例示的実装では、ＵＥ１０５は、一式の近隣セル１１５-１２５から、ネットワークによって規定された絶対優先度に従って、特定の周波数および／またはＲＡＴ層に属する、標的セルを選択する。測定ルールおよびセル再選択基準のための種々の構成パラメータは、セル再選択のための絶対優先度を構成するために、ネットワークによって採用される。測定ルールは、構成パラメータの少なくともいくつかと併せて、ＵＥ１０５等のＵＥが、特定の周波数および／またはＲＡＴ層上の近隣セルを測定する条件を規定する。セル再選択基準は、構成パラメータの少なくともいくつかと併せて、ＵＥ１０５等のＵＥが、評価された周波数および／またはＲＡＴ層上の一式の近隣セルの中から、再選択のための特定の標的セルを選択する方法を定義する。通信システム１００において、セル再選択のための絶対優先度を実装するための構成パラメータの実施例として、特定の周波数および／またはＲＡＴの観点から規定される１つ以上の絶対優先層、１つ以上の特定の絶対優先層と関連付けられたセルに対する測定に適用される１つ以上のオフセット、１つ以上の特定の絶対優先層と関連付けられ、ＵＥによって、特定の絶対優先層と関連付けられた近隣セルに再選択を行うかどうかを判定するために使用される、１つ以上の閾値、１つ以上の特定の絶対優先層と関連付けられ、ＵＥによって、特定の絶対優先層と関連付けられた近隣セルに再選択を行うかどうかを判定するために使用される、１つ以上のタイマ等が挙げられる。
【００１３】
前述のもの等のセル再選択のための絶対優先層を実装する、パラメータの構成は、ＵＥが、ネットワークオペレータによって意図される周波数および／またはＲＡＴ層に属する、セルを再選択し、そこにキャンプオンすることを確実にするよう計画される、無線ネットワークの一部として行われる。概して、ネットワークオペレータは、ＵＥが、ネットワーク内の特定の位置において、より低い絶対優先層からより高い絶対優先層に、または逆に、セル再選択を行うように意図してもよい。例えば、通信システム１００における初期Ｅ-ＵＴＲＡＮ配備では、Ｅ-ＵＴＲＡＮセルは、ホットスポット内に配備されてもよく、これらのＥ-ＵＴＲＡＮ層は、共存ＵＴＲＡＮ層より高い絶対優先度が与えられてもよい。ＵＥ１０５が、これらのホットスポットのうちの１つに接近するのに伴って、ネットワークオペレータは、ＵＥ１０５が、ホットスポットを実装するＥ-ＵＴＲＡＮセルに対して再選択を行い、より高い通信データレートを享受するよう意図する。しかしながら、セル再選択構成パラメータが、適切に設定されない場合、ＵＥ１０５は、予期されるより長く、共存ＵＴＲＡＮセル内に留まり得る。これが発生する場合、ホットスポットによって提供されるＥ-ＵＴＲＡＮサービスにアクセスするためのＵＥ１０５の能力は、遅延され得る。反対に、ＵＥ１０５が、ホットスポットを離れるのに伴って、ネットワークオペレータは、ＵＥ１０５が、共存ＵＴＲＡＮセルに対して再選択を行うよう意図してもよい。しかしながら、セル再選択構成パラメータが、適切に設定されない場合、ＵＥ１０５は、予期されるより長く、Ｅ-ＵＴＲＡＮセル内に留まり、潜在的に、ＵＥ１０５に、無線リンク失敗を被らせる、またはホットスポットを実装するＥ-ＵＴＲＡＮセル内に過剰な干渉を生じさせ得る。
【００１４】
セル再選択のためのアクティブ優先層を実装するために、通信システム１００によって使用される１つ以上のパラメータの構成、検証、最適化等を可能にするために、通信システム１００は、ＵＥのサービングセル（例えば、サービングセル１１０）の優先層と比較して、より低い優先度、より高い優先度、および／または等しい優先層に属する、近隣セルの周期的ダウンリンクパイロット測定等のログ記録ＭＤＴ測定を行うように、ＵＥ１０５等の１つ以上のＵＥを構成する。これらの近隣セルに対するログ記録ＭＤＴ測定を含有する、ＭＤＴ測定報告を使用して、次いで、セル再選択のためのアクティブ優先層を実装するネットワークパラメータの正確性を評価し、これらのパラメータの任意の調節を行うことができる。さらに、近隣セルに対して行われるように、周期的ダウンリンクパイロット測定（または、より一般的には、任意の他のＭＤＴ測定）を構成するために、ネットワークによって、ＵＥ１０５に提供されるＭＤＴ構成情報は、周期的ダウンリンクパイロット測定のログが記録され、報告される、近隣セルの数に関する１つ以上の限界を規定することができる。例えば、そのような限界の１つは、周期的ダウンリンクパイロット測定が報告されることが許可される、全絶対優先層の中にある、近隣セルの総数を規定することができる。他の例示的限界はそれぞれ、周期的ダウンリンクパイロット測定が報告されることが許可される、規定された絶対優先層内の近隣セルの最大数を規定することができる。加えて、または代替として、いくつかの実施例では、ＭＤＴ構成情報は、（１）周期的ダウンリンクパイロット測定が報告されることが許可される、ＵＥ１０５のサービングセル１１０の絶対優先層より高い優先度を有する、全絶対優先層の中にある、近隣セルの第１の数を規定する第１の上限（例えば、ＮＨ）、（２）周期的ダウンリンクパイロット測定が報告されることが許可される、ＵＥ１０５のサービングセル１１０の絶対優先層より低い優先度を有する、全絶対優先層の中にある、近隣セルの第２の数に関する第２の上限（例えば、ＮＬ）、および／または（３）周期的ダウンリンクパイロット測定が報告されることが許可される、ＵＥ１０５のサービングセル１１０の絶対優先層と等しい優先度を有する、全絶対優先層の中にある、近隣セルの第３の数に関する第３の上限（例えば、ＮＥ）のうちの１つ以上を含むことができる。
【００１５】
いくつかの実施例では、ＵＥ１０５は、評価された近隣セル（例えば、セル１１５-１２５）に対して、近隣セルのそれぞれの絶対優先度に基づいて、周期的ダウンリンクパイロット測定をランク付けし、構成される近隣セル報告限界に基づいて、特定のセルに対する測定を記憶（例えば、ログ記録）するかどうか判定する。例えば、特定のアクティブ優先層（または、サービングセル１０５の優先度と比較して、より高い、より低い、または等しい優先度を有する、アクティブ優先層の範囲）に属する近隣セルをランク付け後、ＵＥ１０５は、ＭＤＴ構成情報内に規定された限界を最大とする、最高ランクの測定を有する近隣セルに対して、ＰＤＰ測定のログを記録する。いくつかの例示的異種配備では、マクロセルの伝送電力は、ネットワーク内に含まれるフェムト、ピコ、および／または中継セルの伝送電力と異なる（例えば、より高い）。ＰＤＰ測定をランク付けする時、本伝送電力差を考慮して、フェムト、ピコ、および／または中継セルは、共存マクロセルより高い絶対優先度を有し得るため、ＭＤＴ構成情報は、測定のランク付けおよびログ記録に先立って、規定された（例えば、セル識別情報および／またはセルのクラスあるいはタイプによって規定された）近隣セルのＰＤＰ測定に適用されるように、１つ以上のオフセットを含むことができる。
【００１６】
いくつかの実施例では、ネットワークによってＵＥ１０５に提供されるＭＤＴ構成情報は、ＵＥ１０５が、公衆移動通信網（ＰＬＭＮ）走査を行う時、受信信号強度表示（ＲＳＳＩ）が、ログ記録される、または測定されるべきかどうか規定する、表示（例えば、またはフラグ、ビット等）を含む。ＲＳＳＩは、多くの場合、ＲＳＣＰおよびＲＳＲＰ等の他の品質測定と異なり、ＰＬＭＮ内のセルの具体的コードシーケンスの知識が、セルのＲＳＳＩを判定するために要求されないため、ＰＬＭＮの周波数を検出するために使用される。しかしながら、いくつかの状況下では、良好なＲＳＳＩは、良好なセル品質（例えば、ＲＳＣＰ、ＲＳＲＰ等を使用して測定される）と相関しない場合がある一方、他の状況下では、ＲＳＳＩおよびセル品質は、相関し得る。ネットワークオペレータに、ＲＳＳＩが、特定の配備内において、近隣セル品質と相関するかどうか評価可能にするために、ネットワークによってＵＥ１０５に提供されるＭＤＴ構成情報は、ＵＥ１０５に、他の構成される周期的ダウンリンクパイロット測定に加え、ＲＳＳＩ測定を行わせることができる。例えば、ＵＥ１０５が、好適なセル上にキャンプオンする時、ＵＥ１０５は、測定されたＲＳＳＩ値のログを記録し、キャンプオンセルのＰＬＭＮおよび品質を検出してもよい。代替として、ＵＥが、ＰＬＭＮ走査を行う時、検出されたＰＬＭＮ毎に、ＰＬＭＮ識別、周波数、ＲＳＳＩ測定、セル識別のリスト、セル品質等のログが記録されてもよい。
【００１７】
通信システム１００は、ＭＤＴ構成情報をＵＥ１０５に提供するために、１つ以上の技法を採用することができる。一実施例では、サービングセル１１０は、制御プレーン信号伝達を使用して、ＭＤＴ構成情報をＵＥ１０５に送信する。例えば、接続モードでは、無線リソース制御（ＲＲＣ）接続が、ＵＥ１０５とサービングセル１１０との間に存在し、測定制御または再構成メッセージ等のＲＲＣメッセージを使用して、ＭＤＴ構成情報をネットワークからＵＥ１０５に送信することができる。加えて、または代替として、サービングセル１１０は、ユーザプレーン信号伝達を使用して、ＭＤＴ構成情報をＵＥ１０５に送信することができる。例えば、１つ以上のショートメッセージサービス（ＳＭＳ）メッセージ、１つ以上の電子メール、１つ以上のＢｌａｃｋ  Ｂｅｒｒｙ（Ｒ）個人識別番号（ＰＩＮ）メッセージ等を使用する、動的無線通信経由構成を使用して、ＭＤＴ構成情報をネットワークからＵＥ１０５に送信することができる。周期的ダウンリンクパイロット測定等のログ記録ＭＤＴ測定の場合、ＭＤＴ測定構成は、ＵＥ１０５が、接続モードを離れ、アイドルモードに入った後も持続し、これは、ＵＥ１０５に、アイドルモードの間、ＭＤＴ測定を行い、後に、ＵＥ１０５が、接続状態に再び入り、そのサービングセル（例えば、サービングセル１１０）との無線接続を確立すると、ログ記録測定を報告可能にする。ＭＤＴ構成情報をＵＥ１０５に送信するための異なる技法と同様に、ＵＥ１０５は、制御プレーン信号伝達（例えば、ＲＲＣメッセージ）および／またはユーザプレーンメッセージ（例えば、ＳＭＳメッセージ、電子メール、ＰＩＮメッセージ等）を使用して、ログ記録ＭＤＴ測定をネットワークに報告することができる。
【００１８】
図１のＵＥ１０５の例示的実装のブロック図は、図２に例証される。図２は、本明細書に説明される例示的方法および装置に従って、ログ記録ＭＤＴ測定を構成し、行うステップと関連付けられたＵＥ１０５の一部を例証する。他の機能性と関連付けられたＵＥ１０５のそれらの部分は、明確にするために、省略される。
【００１９】
図２を参照すると、ＵＥ１０５の例証される例示的実装は、前述のように、かつ以下にさらに詳述されるように、周期的ダウンリンクパイロット測定等のＭＤＴ測定が報告されるように許可される（例えば、また、近隣セル報告限界とも称される）、近隣セルの数に関する１つ以上の限界、測定に適用される１つ以上のオフセット、および／またはＲＳＳＩが他の構成される周期的ダウンリンクパイロット測定とともに測定されるべきかどうかを示すＲＳＳＩインジケータを含む、ＭＤＴ測定構成情報を受信する、例示的測定構成プロセッサ２０５を含む。図２のＵＥ１０５はまた、例示的周期的ダウンリンクパイロット（ＰＤＰ）測定プロセッサ２１０を含み、近隣セル報告限界、オフセット、ＲＳＳＩインジケータ、および／または測定構成プロセッサ２０５によって受信される他の構成情報に従って、近隣セルに対する周期的ダウンリンクパイロット測定を行い、そのログを記録する。加えて、図２のＵＥ１０５は、例示的全地球的航法衛星システム（ＧＮＳＳ）プロセッサ２１２（または、類似プロセッサ）を含み、測定構成プロセッサ２０５によって受信されるＭＤＴ構成情報に従って、位置測定を行う。図２のＵＥ１０５はさらに、測定ログ記録記憶２１５を含み、ＰＤＰ測定プロセッサ２１０によって判定されるＭＤＴ測定および／またはＧＮＳＳプロセッサ２１２によって判定される位置測定のログを記録する（例えば、特定のフォーマットにおいて記憶する）。測定ログ記録記憶２１５は、以下により詳細に説明される、図７に例証される処理システム７００の揮発性メモリ７１８および／または大容量記憶デバイス７３０等、任意のタイプのメモリまたは記憶技術を使用して、実装することができる。測定ログ記録記憶２１５内のＭＤＴ測定および／または位置測定ログ記録を報告するために、図２のＵＥ１０５は、測定報告プロセッサ２２０を含む。測定構成プロセッサ２０５、ＰＤＰ測定プロセッサ２１０、ＧＮＳＳプロセッサ２１２、測定ログ記録記憶２１５、および測定報告プロセッサ２２０の例示的実装ならびに動作は、後続図に例証され、以下により詳細に説明される。
【００２０】
ＭＤＴ測定を構成および処理するために、図１のセル１１０によって使用され得る、例示的ネットワーク要素３００のブロック図は、図３に例証される。例えば、ネットワーク要素３００は、セル１１０を実装する、ノード-ＢまたはｅＮＢ等の基地局内あるいはそれによって実装することができる。図３を参照すると、例証される実施例のネットワーク要素３００は、ＭＤＴ構成プロセッサ３０５を含み、前述かつ以下に詳述される、１つ以上の近隣セル報告限界、オフセット、およびＲＳＳＩインジケータを含む、ＭＤＴ構成情報を準備し、ＵＥ１０５に送信する。ネットワーク要素３００はまた、ＭＤＴ報告プロセッサ３１０を含み、例えば、測定報告、ＲＲＣ信号伝達等を介して、ＭＤＴ測定報告／ログをＵＥ１０５から受信する。ネットワーク要素３００はさらに、ＭＤＴ測定ポストプロセッサ３１５を含み、さらなる処理のために、１つ以上のＵＥ（例えば、ＵＥ１０５を含む）から受信したＭＤＴ測定／ログをネットワークオペレータに転送する。ＭＤＴ構成プロセッサ３０５、ＭＤＴ報告プロセッサ３１０、およびＭＤＴ測定ポストプロセッサ３１５の例示的実装ならびに動作は、後続図に例証され、以下に詳細に説明される。
【００２１】
ＵＥ１０５を実装する例示的様式および図１のセル１１０が、図２-３に例証されたが、図２-３に例証される要素、プロセス、および／またはデバイスのうちの１つ以上は、組み合わせられる、分割される、再配列される、省略される、排除される、および／または任意の他の方法で実装されてもよい。さらに、例示的測定構成プロセッサ２０５、例示的ＰＤＰ測定プロセッサ２１０、例示的ＧＮＳＳプロセッサ２１２、例示的測定ログ記録記憶２１５、例示的測定報告プロセッサ２２０、例示的ネットワーク要素３００、例示的ＭＤＴ構成プロセッサ３０５、例示的ＭＤＴ報告プロセッサ３１０、例示的ＭＤＴ測定ポストプロセッサ３１５、ならびに／あるいは、より一般的には、図２の例示的ＵＥ１０５および／または図３の例示的セル１１０は、ハードウェア、ソフトウェア、ファームウェアによって、ならびに／あるいはハードウェア、ソフトウェア、および／またはファームウェアの任意の組み合わせによって、実装されてもよい。したがって、例えば、例示的測定構成プロセッサ２０５、例示的ＰＤＰ測定プロセッサ２１０、例示的ＧＮＳＳプロセッサ２１２、例示的測定ログ記録記憶２１５、例示的測定報告プロセッサ２２０、例示的ネットワーク要素３００、例示的ＭＤＴ構成プロセッサ３０５、例示的ＭＤＴ報告プロセッサ３１０、例示的ＭＤＴ測定ポストプロセッサ３１５、ならびに／あるいは、より一般的には、例示的ＵＥ１０５および／または例示的セル１１０のいずれも、１つ以上の回路、プログラマブルプロセッサ、特定用途向け集積回路（ＡＳＩＣ）、プログラマブル論理デバイス（ＰＬＤ）、および／またはフィールドプログラマブル論理デバイス（ＦＰＬＤ）等によって実装され得る。少なくともいくつかの例示的実装では、例示的ＵＥ１０５、例示的セル１１０、例示的測定構成プロセッサ２０５、例示的ＰＤＰ測定プロセッサ２１０、例示的ＧＮＳＳプロセッサ２１２、例示的測定ログ記録記憶２１５、例示的測定報告プロセッサ２２０、例示的ネットワーク要素３００、例示的ＭＤＴ構成プロセッサ３０５、例示的ＭＤＴ報告プロセッサ３１０、および／または例示的ＭＤＴ測定ポストプロセッサ３１５のうちの少なくとも１つは、本明細書では、そのようなソフトウェアおよび／またはファームウェアを記憶する、メモリ、デジタル多用途ディスク（ＤＶＤ）、コンパクトディスク（ＣＤ）等の有形コンピュータ可読媒体を含むものと明示的に定義される。さらになお、図２の例示的ＵＥ１０５および／または図３の例示的セル１１０は、図２-３に例証されるものに加え、または代わりに、１つ以上の要素、プロセス、および／またはデバイスを含んでもよい、ならびに／あるいは例証される要素、プロセス、およびデバイスの一部または全部のうちの２つ以上を含んでもよい。
【００２２】
例示的ＵＥ１０５、例示的セル１１０-１２５、例示的測定構成プロセッサ２０５、例示的ＰＤＰ測定プロセッサ２１０、例示的ＧＮＳＳプロセッサ２１２、例示的測定ログ記録記憶２１５、例示的測定報告プロセッサ２２０、例示的ネットワーク要素３００、例示的ＭＤＴ構成プロセッサ３０５、例示的ＭＤＴ報告プロセッサ３１０、および／または例示的ＭＤＴ測定ポストプロセッサ３１５を実装するために実行され得る、例示的プロセスを表す、流れ図は、図４-６に示される。これらの実施例では、各流れ図によって表されるプロセスは、図７に関連して後述される例示的処理システム７００に示される、プロセッサ７１２等のプロセッサによって実行するための機械可読命令を備える、１つ以上のプログラムによって実装されてもよい。代替として、図４-６の流れ図によって表されるプロセスのうちの１つ以上を実装する、プログラムまたは複数のプログラム全体および／またはその一部は、プロセッサ７１２以外のデバイス（例えば、コントローラおよび／または任意の他の好適なデバイス等）によって実行される、および／またはファームウェアまたは専用ハードウェア（例えば、ＡＳＩＣ、ＰＬＤ、ＦＰＬＤ、離散論理等によって実装される）内に内蔵され得る。また、図４-６の流れ図によって表されるプロセスのうちの１つ以上、またはその１つ以上の部分は、手動で実装されてもよい。さらに、例示的プロセスが、図４-６に例証される流れ図を参照して説明されるが、本明細書に説明される例示的方法および装置を実装するための多くの他の技法が、代替として、使用されてもよい。例えば、図４-６に例証される流れ図を参照して、ブロックの実行順序は、変更されてもよく、および／または説明されるブロックの数は、変更、排除、組み合わせ、および／または複数のブロックに細分割されてもよい。
【００２３】
前述のように、図４-６の例示的プロセスは、情報が、任意の持続時間の間、記憶される（例えば、長時間、恒久的に、短い瞬間、一時的にバッファするために、および／または情報のキャッシュのために）、ハードディスクドライブ、フラッシュメモリ、読取専用メモリ（ＲＯＭ）、ＣＤ、ＤＶＤ、キャッシュ、ランダムアクセスメモリ（ＲＡＭ）、および／または任意の他の記憶媒体等の有形コンピュータ可読媒体上に記憶される、符号化命令（例えば、コンピュータ可読命令）を使用して実装されてもよい。本明細書で使用されるように、用語「有形コンピュータ可読媒体」は、任意のタイプのコンピュータ可読記憶を含み、信号の伝搬を除くものと明示的に定義される。加えて、または代替として、図４-６の例示的プロセスは、情報が、任意の持続時間の間、記憶される（例えば、長時間、恒久的に、短い瞬間、一時的にバッファするために、および／または情報のキャッシュのために）、フラッシュメモリ、ＲＯＭ、ＣＤ、ＤＶＤ、キャッシュ、ランダムアクセスメモリ（ＲＡＭ）、および／または任意の他の記憶媒体等の非一時的コンピュータ可読媒体上に記憶される、符号化命令（例えば、コンピュータ可読命令）を使用して実装されてもよい。本明細書で使用されるように、用語「非一時的コンピュータ可読媒体」は、任意のタイプのコンピュータ可読記憶を含み、信号の伝搬を除くものと明示的に定義される。また、本明細書で使用されるように、用語「コンピュータ可読」および「機械可読」は、別様に示されない限り、均等物と見なされる。
【００２４】
図１-２のＵＥ１０５において、ＭＤＴ測定構成を実装するために実行され得る、例示的プロセス４００は、図４に例証される。先行図を参照すると、図４のプロセス４００は、ブロック４０５において実行を開始し、そこで、ＵＥ１０５内に含まれる測定構成プロセッサ２０５は、前述のように、制御プレーン信号伝達および／またはユーザプレーン信号伝達を介して、ＭＤＴ構成情報をそのサービングセル１１０から受信する。ブロック４１０において、測定構成プロセッサ２０５は、ブロック４０５で受信されたＭＤＴ構成情報内に含まれる測定周期性等、任意の一般的周期的ダウンリンクパイロット測定パラメータを構成する。ブロック４１５において、ＵＥ１０５は、セル再選択のための任意の絶対優先層を構成する。例えば、絶対優先層をサポートするネットワークでは、各周波数または周波数群および各ＲＡＴは、絶対優先度が規定される、層であることができる。特定のセルの絶対優先度が、次いで、それが属する、絶対優先層（例えば、周波数および／またはＲＡＴ）によって判定される。ブロック４１５において構成される絶対優先度構成情報は、概して、セル１１０全体を通して、システム情報ブロードキャストにおいて、および／またはＵＥ１０５に送信される専用メッセージにおいて、受信することができる。加えて、または代替として、絶対優先度構成情報は、ブロック４０５で受信したＭＤＴ構成情報内に含まれ、測定構成プロセッサ２０５によって使用され、ＭＤＴ測定目的のために、１つ以上の絶対優先層を構成することができる（例えば、ＵＥ１０５が、セル再選択のための絶対優先度を使用するように構成されない場合でも）。
【００２５】
ブロック４２０において、測定構成プロセッサ２０５は、そのような限界が、ブロック４０５で受信したＭＤＴ構成情報内に含まれる場合、周期的ダウンリンクパイロット測定が報告されることが許可される、（例えば、構成される場合、全絶対優先層の中にある）近隣セルの総数に関する上限を構成する。ブロック４２５において、測定構成プロセッサ２０５は、そのような限界が、ブロック４０５で受信したＭＤＴ構成情報内に含まれる場合、絶対優先層に関連する、近隣セル測定報告に関する任意の上限を構成する。例えば、ＭＤＴ構成情報は、１つ以上の上限を含むことができ、各そのような上限は、個別の規定された絶対優先層と関連付けられ、周期的ダウンリンクパイロット測定が報告されることが許可される、規定された絶対優先層内のセルの最大数を規定する。加えて、または代替として、ＭＤＴ構成情報は、（１）周期的ダウンリンクパイロット測定が報告されることが許可される、ＵＥ１０５のサービングセル１１０の絶対優先層より高い優先度を有する、全絶対優先層の中にある、近隣セルの第１の数を指定する第１の上限（例えば、ＮＨ）、（２）周期的ダウンリンクパイロット測定が報告されることが許可される、ＵＥ１０５のサービングセル１１０の絶対優先層より低い優先度を有する、全絶対優先層の中にある、近隣セルの第２の数に関する第２の上限（例えば、ＮＬ）、および／または（３）周期的ダウンリンクパイロット測定が報告されることが許可される、ＵＥ１０５のサービングセル１１０の絶対優先層と等しい優先度を有する、全絶対優先層の中にある、近隣セルの第３の数に関する第３の上限（例えば、ＮＥ）のうちの１つ以上を含むことができる。
【００２６】
ブロック４３０において、測定構成プロセッサ２０５は、ブロック４０５で受信したＭＤＴ構成情報内に含まれ、規定されたセルに対する周期的ダウンリンクパイロット測定に適用される、任意の測定オフセットを構成する。例えば、ネットワーク内の１つ以上のセルは、共存マクロセルより低い電力を伝送する、ピコ、フェムト、または中継セルに対応してもよい。そのような実施例では、オフセットは、特定のセル識別（または、セルのタイプまたはクラス）によって規定され、それと関連付けられ、オフセットは、任意の規定された近隣セル報告限界に従って、ランク付けおよびログ記録に先立って、周期的ダウンリンクパイロット測定に追加されてもよい。ブロック４３５において、測定構成プロセッサ２０５は、ＲＳＳＩ測定を行う表示が、ブロック４０５で受信したＭＤＴ構成情報内に含まれる場合、ＲＳＳＩ測定を含むように、周期的ダウンリンクパイロット測定を構成する。例示的プロセス４００の実行は、次いで、終了する。
【００２７】
図１-２のＵＥ１０５において、ＭＤＴ測定処理を実装するために実行され得る、例示的プロセス５００は、図５に例証される。先行図を参照すると、図５のプロセス５００は、ブロック５０５において実行を開始し、そこで、ＵＥ１０５内に含まれるＰＤＰ測定プロセッサ２１０は、周期的ダウンリンクパイロット測定がトリガされたかどうかを判定する（例えば、以前に受信したＭＤＴ構成情報によって規定された測定周期を有するタイマの満了に基づいて）。周期的ダウンリンクパイロット測定がトリガされた場合（ブロック５０５）、ブロック５１０において、ＰＤＰ測定プロセッサ２１０は、ＵＥ１０５によって検出可能な近隣セルに対して、任意の構成される周期的ダウンリンクパイロット測定（例えば、ＲＳＣＰ、ＲＳＲＰ等）を行うまたは取得する（例えば、セル再選択評価のための既に行われた既存の測定から）。ブロック５１５において、ＰＤＰ測定プロセッサ２１０は、ブロック５１０において、任意の規定された近隣セルに対する任意の構成されるオフセットによって判定された（例えば、以前に受信したＭＤＴ構成情報に基づいて）測定を調節する。ブロック５２０において、ＰＤＰ測定プロセッサ２１０は、任意の構成される絶対優先層に従って、その個別のダウンリンクパイロット測定（任意のオフセットによって調節される）の値に基づいて、近隣セルをランク付けする。ブロック５２５において、ＰＤＰ測定プロセッサ２１０は、報告される近隣セルの数に関する任意の構成される上限に従って、ランク付けされた近隣セルに対して、測定ログ記録記憶２１５内に測定のログを記録する。その測定のログが記録される、近隣セルに対する絶対優先度およびセル識別もまた、後の報告のために、測定ログ記録記憶２１５内に記憶することができる。
【００２８】
例えば、ブロック５２０および５２５において、ＰＤＰ測定プロセッサ２１０は、（必要に応じて）、その個別のダウンリンクパイロット測定の値に基づいて、任意の構成される絶対優先層に関わらず、全評価された近隣セルをランク付けし、次いで、周期的ダウンリンクパイロット測定が報告されることが許可される、近隣セルの総数に関して構成される上限を最大とする、上位ランク近隣セルに対する測定のログを記録することができる。ランク付けは、オフセットが規定されておらず、および測定が、既に、ＵＥのセル再選択評価処理の一部としてランク付けされている場合、行われる必要がなくてもよい。別の実施例として、ブロック５２０および５２５において、ＰＤＰ測定プロセッサ２１０は、その個別のダウンリンクパイロット測定の値に基づいて、特定の絶対優先層内の評価された近隣セルをランク付けし、周期的ダウンリンクパイロット測定が報告されることが許可される、特定の絶対優先層内の近隣セルの総数に関して構成される上限を最大とする、上位ランク近隣セルに対する測定のログを記録し、次いで、１つ以上または全部の他の構成される絶対優先層内の近隣セルに対して、本手順を反復することができる。さらに別の実施例では、ブロック５２０および５２５において、ＰＤＰ測定プロセッサ２１０は、その個別のダウンリンクパイロット測定の値に基づいて、サービングセル１１０の優先度より高い優先度を有する、全絶対優先層内において、評価された近隣セルをランク付けし、周期的ダウンリンクパイロット測定が報告されることが許可される、ＵＥ１０５のサービングセル１１０の絶対優先層より高い優先度を有する、全絶対優先層の中にある、近隣セルの総数に関して構成された上限を最大とする、上位ランク近隣セルに対する測定のログを記録する。加えて、または代替として、ブロック５２０および５２５において、ＰＤＰ測定プロセッサ２１０は、その個別のダウンリンクパイロット測定の値に基づいて、サービングセル１１０の優先度より低い優先度を有する、全絶対優先層内において、評価された近隣セルをランク付けし、周期的ダウンリンクパイロット測定が報告されることが許可される、ＵＥ１０５のサービングセル１１０の絶対優先層より低い優先度を有する、全絶対優先層の中にある、近隣セルの総数に関して構成された上限を最大とする、上位ランク近隣セルに対する測定のログを記録することができる。加えて、または代替として、ブロック５２０および５２５において、ＰＤＰ測定プロセッサ２１０は、その個別のダウンリンクパイロット測定の値に基づいて、サービングセル１１０のものと等しい優先度を有する、全絶対優先層内において、評価された近隣セルをランク付けし、周期的ダウンリンクパイロット測定が報告されることが許可される、ＵＥ１０５のサービングセル１１０と等しい優先度を有する、全絶対優先層の中にある、近隣セルの総数に関して構成された上限を最大とする、上位ランク近隣セルに対する測定のログを記録することができる。
【００２９】
ブロック５３０において、ＰＤＰ測定プロセッサ２１０は、ＰＬＭＮ走査が行われているかどうかを判定する。ＰＬＭＮ走査が行われる場合（ブロック５３０）、ブロック５３５において、ＰＤＰ測定プロセッサ２１０は、ＲＳＳＩ測定が、任意の他の構成される周期ダウンリンクパイロット測定（例えば、ＲＳＣＰ、ＲＳＲＰ等）に加え、受信したＭＤＴ構成情報によって構成された場合、ＲＳＳＩを測定する。
【００３０】
ブロック５４０において、ＵＥ１０５は、接続モードに入り、無線リンクが、そのサービングセル１１０と確立されたかどうかを判定する。ＵＥ１０５が、接続モードにある場合（ブロック５４０）、ブロック５４５において、ＵＥ１０５内に含まれる測定報告プロセッサ２２０は、前述のように（例えば、制御プレーン信号伝達、ユーザプレーンメッセージ等を介して）、測定ログ記録記憶２１５内のＭＤＴ測定ログ記録を報告する。ブロック５５０において、測定報告プロセッサ２２０はまた、任意の構成される絶対優先層を報告する。例えば、ＵＥ１０５が、専用信号伝達を介して、絶対優先層構成情報を受信する場合、ネットワークは、本特定のＵＥ１０５に対して、絶対優先層構成を留保しなくてもよい。したがって、ブロック５５０において、ＵＥ１０５内に構成される絶対優先層が報告され、ブロック５４５において、報告されたＭＤＴ測定の適切な解釈を可能にする。次いで、ブロック５５５において、ＵＥ１０５は、測定ログ記録記憶２１５内に記憶されたログをクリアし、例示的プロセス５００は、反復する。
【００３１】
図１および３のサービングセル１１０において、ＭＤＴ測定構成および処理を実装するために実行され得る、例示的プロセス６００は、図６に例証される。先行図を参照すると、図６のプロセス６００は、ブロック６０５において実行を開始し、そこで、セル１１０を実装する、ネットワーク要素３００内に含まれるＭＤＴ構成プロセッサ３０５は、ＵＥ１０５に送信されるＭＤＴ構成情報内に、測定周期性等の任意の一般的周期的ダウンリンクパイロット測定構成情報を含む。ブロック６１０において、ＭＤＴ構成プロセッサ３０５は、ＭＤＴ構成情報内に、前述の近隣セル報告限界および／またはオフセットのうちの１つ以上等の絶対優先層に関連する任意の構成パラメータ、ならびに絶対優先層割当自体の任意の構成を含む。ブロック６１５において、ＭＤＴ構成プロセッサ３０５は、ＭＤＴ構成情報内に表示を含み、ＲＳＳＩが、ＰＬＭＮ走査の間、測定されるべきかどうかを示す。
【００３２】
次に、ブロック６２０において、ＭＤＴ構成プロセッサ３０５は、ＭＤＴ構成情報をＵＥ１０５に送信する。例えば、ＭＤＴ構成プロセッサ３０５は、制御プレーン信号伝達（例えば、１つ以上のＲＲＣメッセージを介して）および／またはユーザプレーンメッセージ（例えば、ＳＭＳメッセージ、電子メール、ＰＩＮメッセージ等）を使用して、ＭＤＴ構成情報をＵＥ１０５に送信することができる。その後、ブロック６２５において、セル１１０を実装する、ネットワーク要素３００内に含まれるＭＤＴ報告プロセッサ３１０は、ブロック６２０で送信されたＭＤＴ構成情報に従って生成された、ＭＤＴ測定ログをＵＥ１０５から受信する。例えば、ＭＤＴ報告プロセッサ３１０は、制御プレーン信号伝達（例えば、１つ以上のＲＲＣメッセージを介して）および／またはユーザプレーンメッセージ（例えば、ＳＭＳメッセージ、電子メール、ＰＩＮメッセージ等）を使用して、ＭＤＴ測定報告をＵＥ１０５から受信することができる。
【００３３】
さらに別の実施例では、ＭＤＴのための近隣セル測定報告は、ＭＤＴ測定構成を規定し、測定対象（周波数）、その優先度、およびログ記録することができる測定対象からのセルの最大数等、ログ記録される測定の構成を含むことによって、限定することができる。そのような実施例では、測定量は、ログ記録ＭＤＴのために固定され、Ｅ-ＵＴＲＡＮに対するＲＳＲＰおよびＲＳＲＱの両方、ＵＴＲＡＮに対するＲＳＣＰおよびＥｃ／Ｎｏの両方、ならびにＧＥＲＡＮに対するＲｘｌｅｖから成る。先行実施例では、用語「測定対象」は、本明細書の前述で使用されたように、「絶対優先層」に対応する。
【００３４】
図７は、本明細書に開示される装置および方法を実装することが可能である、例示的処理システム７００のブロック図である。処理システム７００は、例えば、サーバ、パーソナルコンピュータ、携帯情報端末（ＰＤＡ）、スマートフォン、インターネット機器、ＤＶＤプレーヤ、ＣＤプレーヤ、デジタルビデオレコーダ、パーソナルビデオレコーダ、セットトップボックス、または任意の他のタイプのコンピューティングデバイスであることができる。
【００３５】
本実施例のシステム７００は、汎用プログラマブルプロセッサ等のプロセッサ７１２を含む。プロセッサ７１２は、ローカルメモリ７１４を含み、ローカルメモリ７１４および／または別のメモリデバイス内に存在する符号化命令７１６を実行する。プロセッサ７１２は、とりわけ、図４-６に表されるプロセスを実装するための機械可読命令を実行してもよい。プロセッサ７１２は、Ｐｅｎｔｉｕｍ（登録商標）ファミリー、Ｉｔａｎｉｕｍ（Ｒ）ファミリー、および／またはＸＳｃａｌｅ（Ｒ）ファミリーからの１つ以上のＩｎｔｅｌ（Ｒ）マイクロプロセッサ、マイクロコントローラのＡＲＭ（Ｒ）および／またはＰＩＣ（Ｒ）ファミリーからの１つ以上のマイクロコントローラ等、任意のタイプの処理ユニットであってもよい。当然ながら、他のファミリーからの、他のプロセッサもまた、適切である。
【００３６】
プロセッサ７１２は、バス７２２を介して、揮発性メモリ７１８および不揮発性メモリ７２０を含む、メインメモリと通信する。揮発性メモリ７１８は、静的ランダムアクセスメモリ（ＳＲＡＭ）、同期動的ランダムアクセスメモリ（ＳＤＲＡＭ）、動的ランダムアクセスメモリ（ＤＲＡＭ）、ＲＡＭＢＵＳ動的ランダムアクセスメモリ（ＲＤＲＡＭ）、および／または任意の他のタイプのランダムアクセスメモリデバイスによって実装されてもよい。不揮発性メモリ７２０は、フラッシュメモリおよび／または任意の他の所望のタイプのメモリデバイスによって実装されてもよい。メインメモリ７１８、７２０へのアクセスは、典型的には、メモリコントローラ（図示せず）によって制御される。
【００３７】
処理システム７００はまた、インターフェース回路７２４を含む。インターフェース回路７２４は、Ｅｔｈｅｒｎｅｔ（登録商標）インターフェース、ユニバーサルシリアルバス（ＵＳＢ）、および／または第３世代入力／出力（３ＧＩＯ）インターフェース等の任意のタイプのインターフェース規格によって実装されてもよい。
【００３８】
１つ以上の入力デバイス７２６は、インターフェース回路７２４に接続される。入力デバイス７２６は、ユーザに、データおよびコマンドをプロセッサ７１２に入力可能にする。入力デバイスは、例えば、キーボード、マウス、タッチスクリーン、トラックパッド、トラックボール、アイソポイント、および／または音声認識システムによって実装することができる。
【００３９】
１つ以上の出力デバイス７２８もまた、インターフェース回路７２４に接続される。出力デバイス７２８は、例えば、ディスプレイデバイス（例えば、液晶ディスプレイ、ブラウン管ディスプレイ（ＣＲＴ））によって、プリンタによって、および／またはスピーカによって実装することができる。インターフェース回路７２４は、したがって、典型的には、グラフィックスドライバカードを含む。
【００４０】
インターフェース回路７２４はまた、モデムまたはネットワークインターフェースカード等の通信デバイスを含み、ネットワーク（例えば、Ｅｔｈｅｒｎｅｔ（登録商標）接続、デジタル加入者回線（ＤＳＬ）、電話回線、同軸ケーブル、携帯電話システム等）を介して、外部コンピュータとデータの交換を促進する。
【００４１】
処理システム７００はまた、ソフトウェアおよびデータを記憶するための１つ以上の大容量記憶デバイス７３０を含む。そのような大容量記憶デバイス７３０の実施例として、フロッピー（登録商標）ディスクドライブ、ハードドライブディスク、コンパクトディスクドライブ、およびデジタル多用途ディスク（ＤＶＤ）ドライブが挙げられる。大容量記憶デバイス７３０は、測定ログ記録記憶２１５を実装してもよい。代替として、揮発性メモリ７１８は、測定ログ記録記憶２１５を実装してもよい。
【００４２】
図７の処理システム等のシステム内に本明細書に説明される方法および／または装置を実装する代替として、本明細書に説明される方法および／または装置は、プロセッサおよび／またはＡＳＩＣ（特定用途向け集積回路）等の構造内に内蔵されてもよい。
【００４３】
最後に、ある例示的方法、装置、および製造品が、本明細書に説明されたが、本特許の有効範囲は、それらに限定されない。対照的に、本特許は、文字通りまたは均等物の原理に基づいて、添付の請求項の範囲内に公平にある、全方法、装置、および製造品を網羅する。
【図１】
0005629005.tif 000002
【図２】
0005629005.tif 000003
【図３】
0005629005.tif 000004
【図４】
0005629005.tif 000005
【図５】
0005629005.tif 000006
【図６】
0005629005.tif 000007
【図７】
0005629005.tif 000008